【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
送信側端末と、受信側端末とが通信可能に接続されたコンテンツ流通システムであって、
前記送信側端末は、
前記受信側端末に過去に送信した鍵情報と、当該鍵情報を特定するための参照情報を記憶する管理情報記憶手段と、
前記管理情報記憶手段に記憶された鍵情報を使用して、送信する特定コンテンツを暗号化する暗号化手段と、
将来送信される暗号化された特定コンテンツを復号するための鍵情報を生成する鍵情報生成手段と、
前記鍵情報生成手段で生成された鍵情報と、当該鍵情報を特定するための参照情報を前記管理情報記憶手段に記憶する鍵情報記憶手段と、
前記暗号化手段で暗号化された特定コンテンツと、前記管理情報記憶手段に記憶された、当該特定コンテンツの暗号化に使用された鍵情報を特定するための参照情報と、前記鍵情報生成手段で生成した鍵情報を受信側端末に送信する送信手段とを備え、
前記受信側端末は、
前記送信側端末から送信された特定コンテンツと参照情報と鍵情報を受信する受信手段と、
前記送信側端末から送信された鍵情報を記憶する記憶手段と、
前記受信手段で受信された参照情報に従って、前記記憶手段で記憶された複数の鍵情報の中から、前記受信手段で受信された特定コンテンツを復号するための鍵情報を特定する特定手段と、
前記特定手段で特定された鍵情報を用いて当該特定コンテンツを復号する復号手段と、
を備えることを特徴とするコンテンツ流通システム。
【請求項２】
前記送信側端末は、
前記暗号化された特定コンテンツと前記参照情報と前記鍵情報生成手段で生成された鍵情報を含めた配布用コンテンツを作成する配布用コンテンツ作成手段を更に備え、
前記管理情報記憶手段は、前記鍵情報生成手段で生成された鍵情報を含む配布用コンテンツを特定する第１特定情報と、当該配布用コンテンツに含まれる鍵情報を特定する第２特定情報を更に含む参照情報を記憶し、
前記記憶手段は、送信側端末から送信された配布用コンテンツを前記鍵情報として記憶することを特徴とする請求項１に記載のコンテンツ流通システム。
【請求項３】
前記送信側端末は、
前記特定コンテンツの暗号化で使用する鍵情報を選定するための条件の入力を受け付ける選定条件入力受付手段を更に備え、
前記暗号化手段は、前記受け付けた選定条件に従って、前記特定コンテンツの暗号化に使用する１つまたは複数の鍵情報を前記管理情報から取得し、前記特定コンテンツを暗号化することを特徴とする請求項１又は２に記載のコンテンツ流通システム。
【請求項４】
前記選定条件入力受付手段は、鍵情報の数を選定条件とすることを更に備え、
前記暗号化手段は、前記選定条件とした鍵情報の数まで前記管理情報から鍵情報を選定し、当該鍵情報を使用して暗号化することを特徴とする請求項３に記載のコンテンツ流通システム。
【請求項５】
前記管理情報記憶手段は、鍵情報の送信先を更に含む参照情報を記憶し、
前記選定条件入力受付手段は、特定コンテンツの送信先を選定条件とすることを更に備え、
前記暗号化手段は、前記選定条件とした特定コンテンツの送信先と、前記参照情報に含まれる鍵情報の送信先が一致する鍵情報を選定し、当該鍵情報を使用して暗号化することを特徴とする請求項３又は４に記載のコンテンツ流通システム。
【請求項６】
前記管理情報記憶手段は、鍵情報の送信年月日を更に含む参照情報を記憶し、
前記選定条件入力受付手段は、鍵情報の送信期間を選定条件とすることを更に備え、
前記暗号化手段は、前記選定条件とした送信期間に含まれる鍵情報を、前記参照情報に含まれる鍵情報の送信年月日を基に選定し、当該鍵情報を使用して暗号化することを特徴とする請求項３乃至５の何れか１項に記載のコンテンツ流通システム。
【請求項７】
送信側端末と、受信側端末とが通信可能に接続されたコンテンツ流通システムにおけるコンテンツ流通方法であって、
前記送信側端末において、
前記受信側端末に過去に送信した鍵情報と、当該鍵情報を特定するための参照情報を記憶する管理情報記憶手段に記憶された鍵情報を使用して、送信する特定コンテンツを暗号化する暗号化ステップと、
将来送信される暗号化された特定コンテンツを復号するための鍵情報を生成する鍵情報生成ステップと、
前記鍵情報生成ステップで生成された鍵情報と、当該鍵情報を特定するための参照情報を前記管理情報記憶手段に記憶する鍵情報記憶ステップと、
前記暗号化ステップで暗号化された特定コンテンツと、前記管理情報記憶手段に記憶された、当該特定コンテンツの暗号化に使用された鍵情報を特定するための参照情報と、前記鍵情報生成ステップで生成した鍵情報を受信側端末に送信する送信ステップを実行し、
前記受信側端末は、
前記送信側端末から送信された特定コンテンツと参照情報と鍵情報を受信する受信ステップと、
前記送信側端末から送信された鍵情報を記憶する記憶ステップと、
前記受信ステップで受信された参照情報に従って、前記記憶ステップで記憶された複数の鍵情報の中から、前記受信ステップで受信された特定コンテンツを復号するための鍵情報を特定する特定ステップと、
前記特定ステップで特定された鍵情報を用いて当該特定コンテンツを復号する復号ステップと、
を実行することを特徴とするコンテンツ流通方法。
【請求項８】
送信側端末と、受信側端末とが通信可能に接続されたコンテンツ流通システムをコンピュータで読取実行可能なプログラムであって、
前記送信側端末を、
前記受信側端末に過去に送信した鍵情報と、当該鍵情報を特定するための参照情報を記憶する管理情報記憶手段に記憶された鍵情報を使用して、送信する特定コンテンツを暗号化する暗号化手段と、
将来送信される暗号化された特定コンテンツを復号するための鍵情報を生成する鍵情報生成手段と、
前記鍵情報生成手段で生成された鍵情報と、当該鍵情報を特定するための参照情報を前記管理情報記憶手段に記憶する鍵情報記憶手段と、
前記暗号化手段で暗号化された特定コンテンツと、前記管理情報記憶手段に記憶された、当該特定コンテンツの暗号化に使用された鍵情報を特定するための参照情報と、前記鍵情報生成手段で生成した鍵情報を受信側端末に送信する送信手段として機能させ、
前記受信側端末を、
前記送信側端末から送信された特定コンテンツと参照情報と鍵情報を受信する受信手段と、
前記送信側端末から送信された鍵情報を記憶する記憶手段と、
前記受信手段で受信された参照情報に従って、前記記憶手段で記憶された複数の鍵情報の中から、前記受信手段で受信された特定コンテンツを復号するための鍵情報を特定する特定手段と、
前記特定手段で特定された鍵情報を用いて当該特定コンテンツを復号する復号手段として機能させるためのコンピュータで読取実行可能なプログラム。
【請求項９】
請求項８に記載のプログラムを格納することを特徴とするコンピュータで読込可能な記憶媒体。
【手続補正２】
【補正対象書類名】明細書
【補正対象項目名】００１０
【補正方法】変更
【補正の内容】
【００１０】
本発明は、上記の課題を解決するためになされたもので、本発明の目的は、暗号化されたコンテンツの送信時に、将来送信される別の暗号化されたコンテンツを復号するための鍵を送信し受信側に蓄積させ、過去に受信側が受信して蓄積している複数の鍵を使用して復号を可能にすることで、暗号化されたコンテンツと鍵の送信を行う度に、秘匿性が高まる暗号化システムを提供することを目的とする。
【手続補正３】
【補正対象書類名】明細書
【補正対象項目名】００１１
【補正方法】変更
【補正の内容】
【００１１】
本発明は、送信側端末と、受信側端末とが通信可能に接続されたコンテンツ流通システムであって、前記送信側端末は、前記受信側端末に過去に送信した鍵情報と、当該鍵情報を特定するための参照情報を記憶する管理情報記憶手段と、前記管理情報記憶手段に記憶された鍵情報を使用して、送信する特定コンテンツを暗号化する暗号化手段と、将来送信される暗号化された特定コンテンツを復号するための鍵情報を生成する鍵情報生成手段と、前記鍵情報生成手段で生成された鍵情報と、当該鍵情報を特定するための参照情報を前記管理情報記憶手段に記憶する鍵情報記憶手段と、前記暗号化手段で暗号化された特定コンテンツと、前記管理情報記憶手段に記憶された、当該特定コンテンツの暗号化に使用された鍵情報を特定するための参照情報と、前記鍵情報生成手段で生成した鍵情報を受信側端末に送信する送信手段とを備え、前記受信側端末は、前記送信側端末から送信された特定コンテンツと参照情報と鍵情報を受信する受信手段と、前記送信側端末から送信された鍵情報を記憶する記憶手段と、前記受信手段で受信された参照情報に従って、前記記憶手段で記憶された複数の鍵情報の中から、前記受信手段で受信された特定コンテンツを復号するための鍵情報を特定する特定手段と、前記特定手段で特定された鍵情報を用いて当該特定コンテンツを復号する復号手段と、を備えることを特徴とするコンテンツ流通システム。
【手続補正４】
【補正対象書類名】明細書
【補正対象項目名】００１２
【補正方法】変更
【補正の内容】
【００１２】
前記送信側端末は、前記暗号化された特定コンテンツと前記参照情報と前記鍵情報生成手段で生成された鍵情報を含めた配布用コンテンツを作成する配布用コンテンツ作成手段を更に備え、前記管理情報記憶手段は、前記鍵情報生成手段で生成された鍵情報を含む配布用コンテンツを特定する第１特定情報と、当該配布用コンテンツに含まれる鍵情報を特定する第２特定情報を更に含む参照情報を記憶し、前記記憶手段は、送信側端末から送信された配布用コンテンツを前記鍵情報として記憶することを特徴とする。
【手続補正５】
【補正対象書類名】明細書
【補正対象項目名】００１３
【補正方法】変更
【補正の内容】
【００１３】
以上説明したように、本発明によれば、暗号化されたコンテンツの送信時に、将来送信される別の暗号化されたコンテンツを復号するための鍵を送信し、受信側は参照情報に基づいて以前受信して蓄積している鍵を読み出して復号するので、暗号化されたコンテンツと鍵の送信を行う度に、秘匿性を高めることができる。